(57)【要約】【課題】  室内園芸をする人達に水遣りの愉しさと立体的ディスプレイの手段をもたらすことのできる園芸容器の受器を提供する。【解決手段】  順次内蔵されて適宜選択できる段階的な丈差のある汎用プラスチック製の受台を適当な深さのある汎用プラスチック製の受皿に収める。【選択図】図３
2009213457.tif 000002
【特許請求の範囲】
【請求項１】
段階的な高さの差があって高い方に順次内蔵される複数の伏箱形の受台とこれを収める適当な深さのある受皿から成る合成樹脂製の園芸容器の受器。
【発明の詳細な説明】
【技術分野】
【０００１】  本発明は、植物を植えた園芸容器を受ける受器に関するものである。
【背景技術】
【０００２】  従来、室内など、汚したくない場所に置く園芸容器には、遣り水を受けるものとして、プラスチック製や陶磁器製の受皿を利用している。【０００３】  受皿が深いと、園芸容器の底が溜り水に浸ることになりがちであり、植物が、根腐れ、空気不足、肥料分流失などの湿害を起こしやすいので、多い溜り水は捨てる必要があり、受皿が浅いと、水が溢れやすいので、水遣りの量を控えがちであった。【０００４】  そこで、園芸容器の底が溜り水よりも上になるようにして水切りができるようにする、突起のある受皿、受皿に置く受物、などのアイデアや商品が提供されている。【０００５】  そして、水の溢れる心配をせずに十分に水遣りができること、園芸容器の底が溜り水に浸ることがないこと、溜り水を捨てる必要がないこと、このような従来的効果に加えて、丈夫な構造で美観にも優れ、園芸容器を置く高さも数段階変えられることを特徴とする、本出願人に係る特許第３９７５３０６号「園芸容器の受器」（参照）のアイデアもある。
（以下、これを先発明と称する。）
【発明の開示】
【発明が解決しようとする課題】
【０００６】  先発明は、屋内で園芸容器の管理をする人達に水遣りの愉しさをもたらし、園芸容器の立体的なディスプレイを可能にするものであるが、（外容器）の材質に限定性があった。
つまり、先発明の（外容器）には、水を透さない材質と、鉢カバーともなる大きさと、カバーするプラスチック鉢などを上回る質感が求められた。
そこで、（外容器）の製作材として、ステンレス、ホーロー、陶磁器、アクリルなどが想定されるが、相当の大きさの容器となるため、価格や重さの面で難があった。
【課題を解決するための手段】
【０００７】  本発明では、受台を収めることと遣り水を受けて溜めることを目的とする容器として、先発明のように鉢カバーにもなるような背の高いものではなく、それでも、心ゆくまでの遣り水を受けるのにも充分なほどの深さのある、合成樹脂製の受皿を用いることとする。
受台も、強度を得やすくて製作性にも優れるという理由で合成樹脂製とする。【０００８】  本発明は、ディスプレー用としての美装のために、鉢カバーを見込むこととする。
【発明の効果】
【０００９】  本発明は、先発明と同じく、これを園芸容器に使用すると、その充分な貯水性により、遣り水のあふれる心配も、溜り水を毎度捨てる面倒もないので、屋内でも楽しく水遣りができるし、また、水切りの効果と多少の湿気がもたらされて植物の健康のためにもよい。
本発明は、先発明と同じく、園芸容器の立体的なディスプレイに役立つことになる。
本発明は、合成樹脂製とするものであるが、鉢カバーをすることによって質感は問題にならないことになるし、受皿などは先発明の（外容器）と較べると随分と小振りなものになるので製作しやすく、全体が軽くなって取り扱いもしやすいことになる。
本発明は、鉢カバーをセットとして提供することもできるし、準備する鉢カバーを利用する場合もあるので、鉢カバーとセットとせず、それだけを提供することもできる。
本発明とセットとする鉢カバーは、貯水の用がないので底部が要らず、枠体だけでよいので、材料選択や形状の自由度が高いことになるし、製作もしやすいことになる。
鉢カバーと本発明は、セットにすれば、共に価値が高まることになる。
【発明を実施するための最良の形態】
【００１０】  図１は、本発明の実施例を示す縦断面図である。
段階的な高さの差があってより高い方に順次内蔵される３個を１組とする伏箱型の受台（２ａ、２ｂ、２ｃ）と、これを収める受皿（１）から成る受器の構造を表わしている。
一番低い受台（２ａ）は、遣り水の溜り水に浸る心配のないほど充分な高さがあるものとし、受皿（１）は、この一番低い受台（２ａ）よりも背が高いものとしている。
各受台（２ａ，２ｂ、２ｃ）の天板には遣り水の余り水を通すことと蒸発を促すことを目的とする水切孔（３、…）を設け、その壁体には余り水が受台（２ａ、２ｂ、２ｃ）内部の広い空洞に通じることを目的とする通水孔（４、…）を設けている。【００１１】  本発明は、強度、耐久性、不透水性、製作性などを考慮し、汎用プラスチック製とするものである。【００１２】  受台の数は任意に設定できるが、高さの差が際立つ２〜３個が適当であり、ここでは、受台の数を３個（２ａ、２ｂ、２ｃ）とし、これを１組としている。
受台の数を２個とした場合、扱い方のシンプルさと一層のローコストが特色となる。【００１３】  図２は、本発明の実施例の使用例を示す縦断面図である。
受台（２ａ、２ｂ、２ｃ）は、適宜選択できるが、ここでは、最も高い受台（２ｃ）を使用した状態を表わしている。
このように高い段にすると、高い位置に戴置する、というディスプレイの手法に適って見栄えがするし、鉢よりも下に枝垂れる姿の植物にも好都合である。【００１４】  本発明は、ディスプレー用の美装のために、鉢カバー（５）をすることが有効であり、この使用例図でも枠体だけの鉢カバー（５）をした状態を表わしている。【００１５】  この鉢カバーは、本発明とセットとして提供することもできるし、準備する鉢カバーを利用する場合も想定して本発明だけを提供することもできるわけであるが、セットとして組み合わせる鉢カバーは枠体だけでよいので、木、竹、編物、アクリル、ステンドグラスなど、多種、多様に製作することができる。【００１６】  図３も、本発明の実施例の使用例を示す縦断面図である。
この使用例は、中段の受台（２ｂ）と鉢カバー（５）を使用した状態を表わしている。
このように中段があると、高さのアレンジメントに幅が出る。【００１７】  図４も、本発明実施例の使用例を示す縦断面図である。
この使用例は、最も低い受台（２ａ）と鉢カバー（５）を使用した状態を表わす。
このように、最も低い段にすると、背の高い観葉植物などが天井につかえるのを避けることができるし、園芸容器全体が鉢カバー（５）に隠れる効果がある。【００１８】  この使用例図３・４に示すように、伏箱型の受台の天地を逆にして上方に開けた空間をつくることによってそこに低い方の受台を設置することができるし、伏箱型とする受台の内部は空洞であることによってそこを貯水空間とすることができるわけである。【００１９】  また、各図に示すように、この受台は、必要に応じて選択できる、と同時に、不使用の分は、より背の高い受台の内部に順次収納しておくことができるのである。【００２０】  図５は、屋内に設営する植物ゾーンとして、本発明と園芸容器のセットを複数設置し、これにコの字形に鉢カバーをした情況を表わす平面配置図である。【００２１】  図６は、その立面図である。【００２２】  本発明は、受台の高低を植物に合わせて段階的に選択できるし、本発明自体のサイズも色々と設定できるので、植物の配置パターンを多様に設計することに役立つ。【００２３】  このようなゾーンという規模では、花壇的雰囲気になるし、その製作・設置もしやすいので、鉢カバーを木柵とするとよい。【００２４】  このように園芸容器が多数の場合も、本発明を使用していると水遣りが楽である。
【図面の簡単な説明】
【００２５】
【図１】  本発明の実施例を示す縦断面図
【図２】  本発明の実施例の使用例を示す縦断面図
【図３】  本発明の実施例の使用例を示す縦断面図
【図４】  本発明の実施例の使用例を示す縦断面図
【図５】  本発明の複数個の設置例を示す平面配置図
【図６】  本発明の複数個の設置例を示す立面図
【符号の説明】
【００２６】    １                受皿
２ａ、２ｂ、２ｃ  受台
３、…            水切孔
４、…            通水孔
５                鉢カバー
【図１】
2009213457.tif 000003
【図２】
2009213457.tif 000004
【図３】
2009213457.tif 000005
【図４】
2009213457.tif 000006
【図５】
2009213457.tif 000007
【図６】
2009213457.tif 000008